(57)【特許請求の範囲】
【請求項１】
基板と、この基板上の第１の領域に設けられた第１の印刷層と、この第１の印刷層が設けられていない第２の領域との境界および前記第１の印刷層を覆い、前記第２の領域の少なくとも前記境界際にグラデーションを形成する第２の印刷層とを備えた表示板において、前記第１の印刷層の前記境界際を前記第２の領域側にかけて印刷密度が密から徐々に粗となる粗密領域を設け、前記第１の領域は、前記第１の印刷層と前記第２の印刷層とが重なることで遮光されており、前記グラデーションは、前記第２の領域から前記第１の領域側にかけて印刷部分が徐々に多くなるように印刷したことを特徴とする表示板。
【請求項２】
前記基板と前記第１の印刷層および前記第２の印刷層との間で、且つ前記第１の領域と前記第２の領域にかけて透過性着色層が設けられ、前記透過性着色層は、前記第１の印刷層及び前記第２の印刷層とは異なる色調であることを特徴とする請求項１記載の表示板。
【請求項３】
前記粗密領域が網状の模様からなることを特徴とする請求項１または請求項２に記載の表示板。
【請求項４】
前記第１の印刷層および前記第２の印刷層を黒色としたことを特徴とする請求項１から請求項３のいずれかに記載の表示板。
【発明の詳細な説明】
【技術分野】
【０００１】
本発明は、例えば車両の計器装置に用いられる表示板に関し、特にグラデーションを形成することによって立体感やデザイン性を高めるようにした表示板に関するものである。
【背景技術】
【０００２】
表示板の表面側にグラデーションを形成することによって立体感やデザイン性を高めるようにしたものとして、例えば下記特許文献１が知られている。特許文献１に記載の文字板（表示板）は、透過性の基材１の表面に目盛，数字，記号等の表示３を除いて半透過性の意匠印刷層４を施し、さらに意匠印刷層４の表面を複数の表示領域に定め、この表示領域内に明度が一方向から他方向に向かって徐々に変化するグラデーション印刷層５（例えば黒色）を設けたものである。
【特許文献１】特開平１１−１１９６６２号公報
【０００３】
なお、前記特許文献１に於けるグラデーションは文字板（表示板）の全領域内に設けてあるが、特定領域にのみ設けたい場合がある。図５〜図７は、この様な表示板５１の一例を示すものでグラデーションを表示板５１の中心付近（図５に破線で囲んだ領域内、以下グラデーション領域ＧＡとする）に設けたものである。
【０００４】
表示板５１は、無色透明な基板５２の表面側に車両のエンジン回転数を現す目盛，数字などの表示部５３となる例えば白色の透過性表示層５４を印刷形成した後、表示部５３を除いて地部５５となる例えば黒色の地色層５６を印刷形成してある。この地色層５６はグラデーション形成層でもある。すなわち、グラデーション領域ＧＡに表示板５１の中心に形成されている貫通穴５７に向かって明度が徐々に明変化する様に、例えば点状の模様を地色層５６と同一工程で黒色印刷したものである。５８は無色透明な保護層であり、外光による表示板５１面の反射を抑えるとともに、印刷面にキズなどが付きにくいように保護するものである。図７はグラデーションの部分詳細図であり、円形の黒い部分が黒色印刷した点状の模様を示し、無地部分は白色の透過性表示層５４が現れているものである。
【０００５】
この様に構成した表示板５１は、黒色の地部５５上に白色の表示部５３が視認されるとともに、グラデーション領域ＧＡは数字側から表示板５１の中心側に向かって黒色から徐々に白色に変化する。また、夜間など周囲が暗い時、表示板５１の裏面側に配置した例えば青色で発光する発光ダイオード（図示せず）が点灯した際は、表示部５３は青色で透過照明され、グラデーション領域ＧＡは数字側から表示板５１の中心側に向かって黒色から徐々に青色に変化して透過照明されるようになる。
【発明の開示】
【発明が解決しようとする課題】
【０００６】
なお、上記図５〜図７に記載の表示板５１に於いては、表示部５３とグラデーション領域ＧＡとを除いた透過性表示層５４と地色層５６との間に黒色の下地層５９が設けてある。この下地層５９は、表示板５１の裏面側に配置した発光ダイオードが点灯した際に、地部５５が透けないように設けるものである。地部５５となる地色層５６が黒色であるために地部５５は透け難いが、発光ダイオードの光が一部分を強く照射したり、地色層５６にピンホールが発生した際に地部５５が透ける虞があるため、光を透さない箇所は黒色であっても２層設けることがある。
【０００７】
しかしながら、上記表示板５１は下地層５９を印刷した後、その下地層５９を覆うように地色層５６（グラデーション形成層）を印刷すると、図６に示す様に下地層５９の有無による段差Ｈが発生する。この状態を表示板５１の正面から見ると、図５に示す様にグラデーション領域ＧＡの周囲に略円形の段差ラインＬが連続線で現れてしまい、デザイン的に見苦しい面がある。この様にグラデーションを形成することによってデザイン性を向上させるつもりが、逆に見栄えが低下するという問題があった。なお、印刷による段差は表示部５３周囲の地部５５にも現れるが表示部５３の際であり、色調違いの表示部５３に目が行きやすく段差が目立たない。
【０００８】
本発明はこの様な点に鑑みなされたもので、表面側にグラデーションを有する表示板において、グラデーション周囲の印刷段差を目立たなくして、見栄えを高めた表示板を提供することを目的とする。
【課題を解決するための手段】
【０００９】
本発明は、前記目的を達成するため、基板と、この基板上の第１の領域に設けられた第１の印刷層と、この第１の印刷層が設けられていない第２の領域との境界および前記第１の印刷層を覆い、前記第２の領域の少なくとも前記境界際にグラデーションを形成する第２の印刷層とを備えた表示板において、前記第１の印刷層の前記境界際を前記第２の領域側にかけて印刷密度が密から徐々に粗となる粗密領域を設け、前記第１の領域は、前記第１の印刷層と前記第２の印刷層とが重なることで遮光されており、前記グラデーションは、前記第２の領域から前記第１の領域側にかけて印刷部分が徐々に多くなるように印刷したものである。
【００１０】
また本発明は、前記基板と前記第１の印刷層および前記第２の印刷層との間で、且つ前記第１の領域と前記第２の領域にかけて透過性着色層が設けられ前記透過性着色層は、前記第１の印刷層及び前記第２の印刷層とは異なる色調としたものである。
【００１１】
また、前記粗密領域が網状の模様からなるものである。
【００１２】
また、前記第１の印刷層および前記第２の印刷層を黒色としたものである。
【発明の効果】
【００１３】
表面側にグラデーションを有する表示板において、グラデーション周囲の印刷段差を目立たなくして、見栄えを高めた表示板を得ることができる。
【発明を実施するための最良の形態】
【００１４】
本発明の表示板を適用した車両の計器装置を実施形態として説明する。図１は回転計１と速度計２を備えた計器装置の正面図であり、図２は回転計１の部分断面図（図１に於けるＡ−Ａ断面）である。図３は回転計１に用いられる表示板の部分断面図であり、図４は表示板の粗密領域を示す部分詳細図である。なお、図１に於いて、速度計２の意匠は記載を省略し、速度計２に関する説明も省略する。
【００１５】
計器装置は、硬質な回路基板３と、この回路基板３の裏面側に回路基板３と導通状態で装着され、回路基板３を貫通して前方に延びる回動軸４を有する計器本体５と、回動軸４の先端側に固着された指示部６を有する指針７と、この指針７の後方に配置され指示部６の動作に対応する車両のエンジン回転数を現す目盛，数字などの表示部８および指針７の周囲にグラデーションが形成されたグラデーション領域ＧＡ（図１に破線で囲んだ領域内）を有する表示板９と、表示板９と回路基板３との間に配置され表示板９が保持される保持部材１０を備えている。
【００１６】
また、回路基板３の裏面側を覆う合成樹脂製のカバー１１と、表示板９の周縁前方側に配置され表示板９の可視領域を定める開口部１２を有する例えば黒色の見返し部材１３と、表示板９や見返し部材１３などの前方側に配置された無色透明な透視板１４と、回路基板３上に実装され指針７の指示部６を照明する光源としての指針用発光ダイオード１５と、表示板９の表示部８やグラデーション領域ＧＡを照明する光源としての表示板用発光ダイオード１６を備えている。
【００１７】
指針７は、無色透明な合成樹脂からなる指示部６の他に、指針軸１７と、遮光性の合成樹脂からなる指針キャップ１８を備えている。指示部６の裏面には白色の箔（図示せず）がホットスタンプされており、昼間など周囲が明るい時は指示部６が白色で視認される。また、夜間など周囲が暗い時に例えば白色で発光する指針用発光ダイオード１５が点灯した際も、指示部６に導かれた光が白色の箔に反射して指示部６が白色で視認されるようになっている。
【００１８】
保持部材１０は、遮光性のある白色の合成樹脂からなり、外周壁１９と、表示板９が載置される載置部２０と、指針用発光ダイオード１５を囲む筒部２１などを有している。
【００１９】
表示板９は、無色透明な基板２２の表面側に例えば青色の透過性表示層２３が印刷してある。この透過性表示層２３は表示部８の色調となるとともに、グラデーションの色調となるものでもある。そして、表示部８およびグラデーション領域ＧＡを除いた透過性表示層２３上には例えば黒色の下地層２４（第１の印刷層とする）が印刷によって設けてある。この下地層２４は厳密に言えば、表示部８（例えば目盛）を若干太くした領域を除いて設けてある。同様に、グラデーション領域ＧＡも若干広くした領域を除いて下地層２４が設けてある。
【００２０】
また、表示部８およびグラデーション領域ＧＡを除いて下地層２４を覆うように地部２５となる例えば黒色の地色層２６が印刷形成してある。この地色層２６を設けることによって、正規寸法の表示部８およびグラデーション領域ＧＡとなるようにしてある。なお、下地層２４は前述した様にピンホールの発生などによって地部２５が透けないようにするために設けるものであり、下地層２４が設けられた領域を第１の領域Ｒ１とする。
【００２１】
また、地色層２６はグラデーションを形成するための層（第２の印刷層とする）でもある。グラデーションは、グラデーション領域ＧＡ内に於いて数字側から表示板９の中心側に向かって明度が徐々に明変化する様に、黒色のインクを例えば点状に印刷した（黒色の印刷部分が徐々に少なくなる）ものである。この黒色印刷は、表示部８周囲の地部２５となる地色層２６と同一工程で印刷すれば良い。本実施形態に於けるグラデーションは従来例（図７に記載）と同じため、その記載は省略する。なお、本実施形態に於いてはグラデーション領域ＧＡの全領域にグラデーションを形成する第２の印刷層である地色層２６を設けたが、グラデーションは少なくとも境界Ｘ際に設けてあれば良く、点状の印刷が無い部分（領域）があっても良い。境界Ｘとは、第１の印刷層である下地層２４と、この下地層２４が設けられていない領域との境を指し、下地層２４が設けられていない領域であってグラデーション領域ＧＡでもある領域を第２の領域Ｒ２とする。
【００２２】
また、下地層２４の境界Ｘ際（境界Ｘに隣接する領域）は第２の領域Ｒ２側にかけて印刷密度が密から徐々に粗となる粗密領域Ｒ３としてある。詳細は図４に示す様に、丸形と菱形の組み合わせによって表示部８側から第２の領域Ｒ２側（グラデーション領域ＧＡ側）にかけて黒色の印刷部分が徐々に少なくなって粗となるものであり、印刷後の粗密領域Ｒ３は略網状の模様風となっている。
【００２３】
また、表示板９の表面には無色透明な保護層２７が設けてあり、中心には指針７の指針軸１７が挿通される貫通穴２８が形成されている。
【００２４】
この様に構成した表示板９は、黒色の地部２５上に青色の表示部８が視認されるとともに、グラデーション領域ＧＡは数字（表示部８）側から表示板９の中心側に向かって黒色から徐々に青色に変化するグラデーションとして視認される。この際、境界Ｘ際の下地層２４（第1の印刷層）がグラデーション領域ＧＡ側にかけて印刷部分が徐々に少なくなって粗となる粗密領域Ｒ３としてあるために、下地層２４の印刷ラインが連続した直線とならないとともに、境界Ｘ際程下地層２４が少ない。従って、下地層２４を覆って地色層２６（第２の印刷層）を設けた際、下地層２４の有無によって地色層２６の表面に図３に示す様に部分的に段差ｈが生じるが、表示板９を正面から見た際、段差ｈラインが連続した直線とならず、グラデーション領域ＧＡに近づくにつれて段差ｈも徐々に少なくなって印刷段差が目立たなく見栄えの良い表示板を得ることができる。
【００２５】
また、夜間など周囲が暗い時、表示板９の裏面側に配置した例えば白色で発光する発光ダイオード（図示せず）が点灯した際は、表示部８は青色で透過照明され、グラデーション領域ＧＡは数字側から表示板９の中心側に向かって黒色から徐々に青色に変化するグラデーション透過照明となる。なお、粗密領域Ｒ３に於いて下地層２４が設けられていない部分は地色層２６のみとなる。仮に、この地色層２６に部分的な透けが発生したとしても、グラデーション領域ＧＡの周囲際であるためグラデーションの一部と見なされ、特に違和感は無い。
【００２６】
また、下地層２４および地色層２６を遮光性の最も高い黒色としたことにより、透過部（表示部８やグラデーション領域ＧＡなど）以外の箇所の光の透けを容易に抑えることができ、見栄えの良い表示板を得ることができる。
【００２７】
なお、前記実施形態に於いては表示部８を設けた表示板９としたが、表示部が無いグラデーションのみの表示板であっても良い。また、下地層２４および地色層２６は必ずしも黒色である必要はなく、重ねることによって遮光されるなら色調は任意であり、それぞれ異なった色でも良い。
【００２８】
また、透過性表示層２３を無色透明な基板２２の表面側に設けたが裏面側であっても良く、あるいは基板を着色透過材として透過性表示層を省いても良い。また、粗密領域Ｒ３が略網状の模様となるようにしたが、印刷密度が密から徐々に粗となる様になっていれば印刷形状などは丸形や菱形に限らず任意であるが、形状を問わず略網状の模様である方が地色層２６を設けた際、地色層２６表面の段差ｈラインが連続した直線で現れず印刷による段差が目立ちにくい。
【図面の簡単な説明】
【００２９】
【図１】本発明の表示板を適用した計器装置の正面図。
【図２】同計器装置の部分断面図（図１に於けるＡ−Ａ断面）。
【図３】同計器装置に用いられる表示板の部分断面図。
【図４】同計器装置に用いられる表示板の粗密領域を示す部分詳細図。
【図５】従来の表示板を示す正面図。
【図６】同表示板の部分断面図。
【図７】同表示板のグラデーションを示す部分詳細図。
【符号の説明】
【００３０】
８  表示部
９  表示板
ＧＡ  グラデーション領域
２２  基板
２３  透過性表示層
２４  下地層（第１の印刷層）
２６  地色層（第２の印刷層）
Ｒ１  第１の領域
Ｒ２  第２の領域
Ｘ  境界
Ｒ３  粗密領域
【図１】
0004619247.tif 000002
【図２】
0004619247.tif 000003
【図３】
0004619247.tif 000004
【図４】
0004619247.tif 000005
【図５】
0004619247.tif 000006
【図６】
0004619247.tif 000007
【図７】
0004619247.tif 000008